【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
ユーザーデータ領域内に少なくとも一つの欠陥領域を有する光記録媒体を管理する方法において、
前記少なくとも一つの欠陥領域を管理するための欠陥管理情報としての少なくとも一つの仮欠陥リストを仮欠陥管理領域内に記録し、
前記仮欠陥管理領域内の最新の仮欠陥リストの位置を指定する少なくとも一つの仮欠陥リストポインタとして位置情報を記録することを含んでなることを特徴とする光記録媒体の管理方法。
【請求項２】
前記光記録媒体は、１回だけ記録可能な光ディスクであることを特徴とする請求項１に記載の光記録媒体の管理方法。
【請求項３】
前記１回だけ記録可能な光ディスクは、１回だけ記録可能なブルーレイディスク（ＢＤ−ＷＯ）であることを特徴とする請求項２に記載の光記録媒体の管理方法。
【請求項４】
前記仮欠陥リストの記録大きさは、少なくとも１クラスタであることを特徴とする請求項１に記載の光記録媒体の管理方法。
【請求項５】
前記仮欠陥リストの記録大きさは、１クラスタから８クラスタまで可変的であることを特徴とする請求項４に記載の光記録媒体の管理方法。
【請求項６】
前記ＢＤ−ＷＯは、一つの記録層を有する単層ＢＤ−ＷＯであることを特徴とする請求項３に記載の光記録媒体の管理方法。
【請求項７】
前記ＢＤ−ＷＯは、二つの記録層を有する二層ＢＤ−ＷＯであることを特徴とする請求項３に記載の光記録媒体の管理方法。
【請求項８】
前記仮欠陥リストポインタは、仮欠陥リストの大きさに関係なく一つの物理的セクタ番号だけを有することを特徴とする請求項１に記載の光記録媒体の管理方法。
【請求項９】
前記仮欠陥リストポインタは、仮欠陥リストが記録される各クラスタ毎に一つの物理的セクタ番号を有することを特徴とする請求項１に記載の光記録媒体の管理方法。
【請求項１０】
前記仮欠陥リストは、少なくとも一つのクラスタの記録大きさを有し、前記仮欠陥リスト内には、現に使用中のクラスタの個数を表す情報を更に含むことを特徴とする請求項１に記載の光記録媒体の管理方法。
【請求項１１】
前記仮欠陥リストは、当該仮欠陥リストを認識するためのヘッダ（ｈｅａｄｅｒ）を含むことを特徴とする請求項１に記載の光記録媒体の管理方法。
【請求項１２】
仮欠陥リストの大きさに関係なく一つのヘッダだけを備えることを特徴とする請求項１１に記載の光記録媒体の管理方法。
【請求項１３】
仮欠陥管理領域内に最新の仮欠陥リストを前の仮欠陥リストと共に累積的に記録するステップを更に含むことを特徴とする請求項１に記載の光記録媒体の管理方法。
【請求項１４】
ユーザーデータ領域内に少なくとも一つの欠陥領域を有する光記録媒体を管理する方法において、
前記少なくとも一つの欠陥領域を管理するための欠陥管理情報として少なくとも一つの仮欠陥リストを仮欠陥管理領域内に記録し、
前記仮欠陥管理領域の各記録単位に対し、前記仮欠陥リストを別個の欠陥リストとして分けて記録し、
前記仮欠陥管理領域内の各記録単位に対し、仮欠陥リストの位置を指定する少なくとも一つの仮欠陥リストポインタとして位置情報を記録することを含んでなることを特徴とする光記録媒体の管理方法。
【請求項１５】
前記光記録媒体は、１回だけ記録可能な光ディスクであることを特徴とする請求項１４に記載の光記録媒体の管理方法。
【請求項１６】
前記１回だけ記録可能な光ディスクは、１回だけ記録可能なブルーレイディスク（ＢＤ−ＷＯ）であることを特徴とする請求項１５に記載の光記録媒体の管理方法。
【請求項１７】
前記仮欠陥リストの記録大きさは、少なくとも１クラスタであることを特徴とする請求項１４に記載の光記録媒体の管理方法。
【請求項１８】
前記仮欠陥リストの記録大きさは、１クラスタから８クラスタまで可変的であることを特徴とする請求項１７に記載の光記録媒体の管理方法。
【請求項１９】
前記ＢＤ−ＷＯは、一つの記録層を有する単層ＢＤ−ＷＯであることを特徴とする請求項１６に記載の光記録媒体の管理方法。
【請求項２０】
前記ＢＤ−ＷＯは、二つの記録層を有する二層ＢＤ−ＷＯであることを特徴とする請求項１６に記載の光記録媒体の管理方法。
【請求項２１】
前記仮欠陥リストは、当該仮欠陥リストを認識するためのヘッダ（ｈｅａｄｅｒ）を含むことを特徴とする請求項１４に記載の光記録媒体の管理方法。
【請求項２２】
仮欠陥リストの大きさに関係なく一つのヘッダだけを備えることを特徴とする請求項２１に記載の光記録媒体の管理方法。
【請求項２３】
仮欠陥管理領域内の仮ディスク定義構造（ＴＤＤＳ）内に仮欠陥リストを認識するためのヘッダが記録されることを特徴とする請求項１４に記載の光記録媒体の管理方法。
【請求項２４】
前記ヘッダを各クラスタ単位毎に備えないことを特徴とする請求項２３に記載の光記録媒体の管理方法。
【請求項２５】
仮欠陥管理領域内に最新の仮欠陥リストを前の仮欠陥リストと共に累積的に記録するステップを更に含むことを特徴とする請求項１４に記載の光記録媒体の管理方法。
【請求項２６】
データ領域内のユーザーデータ領域と、
ユーサーデータ領域内の少なくとも一つの欠陥領域の代替データの管理のために設けられる欠陥管理情報を記録するための仮欠陥管理領域と、
前記仮欠陥管理領域内に備える第一の欠陥管理領域と、
前記仮欠陥管理領域内に最新の欠陥リストの位置を指定する位置情報を記録する第二の欠陥管理領域と、
を備えることを特徴とする記録媒体。
【請求項２７】
前記第一の欠陥管理領域と第二の欠陥管理領域は、同一の記録単位内に一緒に記録されることを特徴とする請求項２６に記載の記録媒体。
【請求項２８】
前記第一の欠陥管理領域は、欠陥管理情報として最新の仮欠陥リストを前の欠陥リストと共に累積的に記録するための領域であることを特徴とする請求項２６に記載の記録媒体。
【請求項２９】
データ領域内のユーザーデータ領域と、
前記ユーサーデータ領域内の少なくとも一つの欠陥領域の代替データの管理のために設けられる欠陥管理情報を記録するための仮欠陥管理領域と、
前記少なくとも一つの欠陥領域を管理するための欠陥管理情報として記録される、前記仮欠陥管理領域内の仮欠陥リストと、
前記仮欠陥管理領域内の最新の仮欠陥リストの位置を指定する位置情報を含む少なくとも一つの仮欠陥リストポインタと、
を含んでなることを特徴とする記録媒体。
【請求項３０】
前記最新の仮欠陥リストを前の欠陥リストと共に累積的に前記仮欠陥管理領域内に記録することを特徴とする請求項２９に記載の記録媒体。
【請求項３１】
少なくとも一つの仮欠陥管理領域とデータ領域内にスペア領域を備える光記録媒体を管理する装置において、
前記少なくとも一つの欠陥領域を管理するための欠陥管理情報として少なくとも一つの仮欠陥リストを前記仮欠陥管理領域内に記録する記録手段と、
前記仮欠陥管理領域内に最も最新の仮欠陥リストの位置を指定する少なくとも一つの仮欠陥リストポインタとして位置情報を記録する手段と、
を含んでなることを特徴とする光記録媒体の管理装置。
【請求項３２】
前記最新の仮欠陥リストを前の欠陥リストと共に累積的に前記仮欠陥管理領域内に記録する記録手段を更に含むことを特徴とする請求項３１に記載の記録媒体の管理装置。
【請求項３３】
少なくとも一つの仮欠陥管理領域とデータ領域内にスペア領域を備える光記録媒体を管理する装置において、
前記少なくとも一つの欠陥領域を管理するための欠陥管理情報として少なくとも一つの仮欠陥リストを前記仮欠陥管理領域内に記録する記録手段と、
前記仮欠陥管理領域の各記録単位に対し、前記仮欠陥リストを別個の欠陥リストとして分けて記録する記録手段と、
前記仮欠陥管理領域内の各記録単位に対し、仮欠陥リストの位置を指定する少なくとも一つの仮欠陥リストポインタとして位置情報を記録する手段と、
を含んでなることを特徴とする光記録媒体の管理装置。
【請求項３４】
最新の仮欠陥リストを前の欠陥リストと共に累積的に前記仮欠陥管理領域の一つの記録単位内に記録する記録手段を更に含むことを特徴とする請求項３３に記載の記録媒体の管理装置。